(57)【要約】【課題】水槽の振れを低減し、スムーズな脱水立ち上りを行なう洗濯機を提供する。【解決手段】洗濯機本体の外箱１と、外箱１底部に設けた台枠１１と、洗濯物を収容する洗濯兼脱水槽４を回転自在に内包し外箱１内に弾性支持した水槽２と、水槽２底部に接続された排水弁１３と、排水弁１３に接続し水槽２から水を排水する機内ホース２０と、機内ホース２０に接続し台枠１１に設けた排水パイプ１２と、排水パイプ１２に接続し機外へ水を排水する排水ホース１５とを備え、機内ホース２０の外周には、略半円状の凸形状部２１を螺旋状に形成し、凸形状部２１の内部にはコイルばね２２を一体的に内設することにより、脱水起動時の振動系の振れを低減し、スムーズな脱水立ち上りを行なうことができる。【選択図】図１
2014054275.tif 000002
【特許請求の範囲】
【請求項１】
洗濯機本体の外箱と、前記外箱底部に設けた台枠と、洗濯物を収容する洗濯兼脱水槽を回転自在に内包し前記外箱内に弾性支持した水槽と、前記水槽底部に接続された排水弁と、前記排水弁に接続し前記水槽から水を排水する機内ホースと、前記機内ホースに接続し前記台枠に設けた排水パイプと、前記排水パイプに接続し機外へ水を排水する排水ホースとを備え、前記機内ホースの外周には、略半円状の凸形状部を螺旋状に形成し、前記凸形状部の内部にはコイルばねを一体的に内設した構成の洗濯機。
【発明の詳細な説明】
【技術分野】
【０００１】
本発明は、外箱内部に防振支持された水槽から機外へ排水するホースを備えた洗濯機に関するものである。
【背景技術】
【０００２】
従来、この種の洗濯機は、防振構造上、外箱内で上下左右に揺動する水槽側から固定側である外箱を介して機外に排水するために、合成樹脂製で屈曲性を有する中空蛇腹形状の機内ホースで配管し、かつ、その機内ホースを外箱に固定して排水ホースと接続する構成が提案されている（例えば、特許文献１参照）。
【０００３】
図３は、特許文献１に記載された従来の洗濯機の縦断面図、図４は、同洗濯機の機内ホースの断面図を示すものである。
【０００４】
図３、図４において、洗濯機９１は、外箱９３内部に水槽９２がばねを有する防振材９４で垂下防振支持され、水槽９２の底部には、水槽９２内部の洗濯水を排水、止水の切り換えを行なう排水弁９６が配設されている。水槽９２内には、洗濯物を収容する洗濯兼脱水槽７０が回転自在に配設されている。
【０００５】
また、洗濯兼脱水槽７０上部には、脱水時の振動を低減する流体バランサー７１が設けられている。そして、外箱９３の上部内側には、脱水起動時に水槽９２の振れを抑制する緩衝部材７２が前後左右に取り付けられ、脱水起動時の水槽９２の振れを抑制している。
【０００６】
排水弁９６から下方に略垂直方向に筒状の排水口９７が形成され、排水口９７に機内ホース９５の一端をＬ字状に形成した口金８１に接続され、機内ホース９５の他端は、外箱９３の下部側面に形成された略水平方向を指向する右導出口９８ａ部分に固定され、排水ホース９９に接続される。
【０００７】
なお、機内ホース９５の一端をＬ字状の口金８１に形成して、垂直方向から水平方向への屈曲配管をすることにより、水槽９２の垂直方向の変位を少なくしている。
【０００８】
機内ホース９５は、排水口９７側のＬ字状の口金８１と、軸線の角度ｋを略９０度傾斜した断面が中空蛇腹形状の中央部８０と、排水ホース９９側の略円筒状の接続部８２とを合成樹脂材料をブロー成形加工にて一体部品として構成している。
【０００９】
排水時には、排水弁９６が開くと、水槽９２内の洗濯水は排水口９７から、機内ホース９５のＬ字状の口金８１、中央部８０を介して排水ホース９９へ通り、機外へと排水される。
【先行技術文献】
【特許文献】
【００１０】
【特許文献１】特開昭５９−２３２５８９号公報
【発明の概要】
【発明が解決しようとする課題】
【００１１】
しかしながら、前記従来の構成では、脱水起動時の水槽を含めた振動系の挙動は、洗濯物の種類や容量や水流の強弱等により複雑な動きをするため、その動きを抑制し制御するためには、外箱の内面に多数の緩衝部材を取付けることが必要となり、緩衝部材の貼り付
け工数、材料費等の製造コストがかかるという課題があった。
【００１２】
また、脱水起動時に、洗濯兼脱水槽内で洗濯物が大きく片寄っている時は、振動系が大きく振れ危険なので、安全スイッチを動作させて脱水停止して、給水し片寄りを修正して脱水をやり直す制御が必要であるが、余分に水や電気を使ってしまうという課題もあった。
【００１３】
特に近年は、住宅環境により洗濯機の設置面積を小さくして欲しいという市場要求が強くなり、その要求に応えるために、洗濯容量を変えないとすれば、必然的に外箱と水槽の隙間が小さくなることになり、その小さい隙間で脱水時の振動系の動きをいかに抑制し、制御するかという技術が求められている。
【００１４】
本発明は、前記従来の課題を解決するもので、機内ホースの構成により、箱体の内面に取付けている緩衝部材の数を低減させるとともに、脱水起動時の振れを抑え、スムーズな脱水立ち上りを行なうことで、製品の信頼性を高めるとともに、省エネを実現することを目的としている。
【課題を解決するための手段】
【００１５】
前記従来の課題を解決するために、本発明の洗濯機は、洗濯機本体の外箱と、前記外箱底部に設けた台枠と、洗濯物を収容する洗濯兼脱水槽を回転自在に内包し前記外箱内に弾性支持した水槽と、前記水槽底部に接続された排水弁と、前記排水弁に接続し前記水槽から水を排水する機内ホースと、前記機内ホースに接続し前記台枠に設けた排水パイプと、前記排水パイプに接続し機外へ水を排水する排水ホースとを備え、前記機内ホースの外周には、略半円状の凸形状部を螺旋状に形成し、前記凸形状部の内部にはコイルばねを一体的に内設した構成としたものである。
【００１６】
これにより、脱水起動時に、水槽を含めた振動系の横振れを低減させることができ、振動系の横振れが低減されるために、外箱の内部に取付ける緩衝部材は、数も少なく、厚さも薄くすることができる。また、脱水起動時の振動系の振れを低減することにより、洗濯物が片寄った場合でも、スムーズな脱水立ち上げを行なうことで、製品の信頼性を高めるとともに、省エネを実現することができる。
【発明の効果】
【００１７】
本発明の洗濯機は、脱水起動時の振動系の振れを低減し、スムーズな脱水立ち上りを行なうことができ、製品の信頼性を高めることができる。
【図面の簡単な説明】
【００１８】
【図１】本発明の実施の形態における洗濯機の縦断面図
【図２】同洗濯機の機内ホースの要部断面図
【図３】従来の洗濯機の縦断面図
【図４】同従来の洗濯機の機内ホースの要部断面図
【発明を実施するための形態】
【００１９】
第１の発明は、洗濯機本体の外箱と、前記外箱底部に設けた台枠と、洗濯物を収容する洗濯兼脱水槽を回転自在に内包し前記外箱内に弾性支持した水槽と、前記水槽底部に接続された排水弁と、前記排水弁に接続し前記水槽から水を排水する機内ホースと、前記機内ホースに接続し前記台枠に設けた排水パイプと、前記排水パイプに接続し機外へ水を排水する排水ホースとを備え、前記機内ホースの外周には、略半円状の凸形状部を螺旋状に形成し、前記凸形状部の内部にはコイルばねを一体的に内設した構成としたことにより、水槽を含めた振動系の横振れを低減させることができ、振動系の横振れが低減されるために
、外箱の内部に取付ける緩衝部材は、数も少なく、厚さも薄くすることができる。また、脱水起動時の振動系の振れを低減することにより、洗濯物が片寄った場合でも、スムーズな脱水立ち上げを行なうことで、製品の信頼性を高めるとともに、省エネを実現することができる。
【００２０】
以下、本発明の実施の形態について、図面を参照しながら説明する。なお、この実施の形態によって本発明が限定されるものではない。
【００２１】
（実施の形態）
図１は、本発明の実施の形態における洗濯機の縦断面図であり、図２は同洗濯機の要部断面図である。
【００２２】
図１、図２において、外箱１内部に弾性支持機構３により弾性支持された水槽２に、有底略円筒状をなし周壁に多数の小孔を有する洗濯兼脱水槽４を回転自在に内包している。また、洗濯兼脱水槽４の底部には衣類撹拌用の撹拌翼５が回転自在に配されており、この撹拌翼５、および洗濯兼脱水槽４は、水槽２の外底部に固定したモータ６により回転駆動される。
【００２３】
外箱１の最上部には、中央部に洗濯兼脱水槽４内を臨む洗濯物出入口８を形成したトップカバー７を装着しており、この洗濯物出入口８を開閉自在に覆うように、平面状の蓋体９が配設されている。
【００２４】
洗濯兼脱水槽４の上部には、内部にバランサー液を封入した環状の流体バランサー１０が取り付けられており、脱水時の振動を低減している。
【００２５】
外箱１は、外箱１を下方より支える合成樹脂等の防錆能力に優れた材質で構成された台枠１１上に設けており、台枠１１の背面側の略中央部には、背面側に吐出側を有する排水パイプ１２が一体的に形成されている。
【００２６】
水槽２内の洗濯水は水槽２の外底部に設けた排水弁１３により排水、止水が制御されており、排水時に排水弁１３が開放されると、洗濯水は、排水弁１３と排水パイプ１２との間に接続された機内ホース２０を介して、排水パイプ１２の外方に接続された屈曲性があり軟質な材質で構成された排水ホース１５から機外へ排水される。
【００２７】
なお、機内ホース２０は略Ｌ字形状であり、一端の水槽側口金部１７を下方から排水弁１３に接続し、直線状である中央部１８の端部に形成した台枠側口金部１９を横方向から排水パイプ１２に接続している。
【００２８】
また、機内ホース２０は、ゴムや軟質樹脂を材料として形成されており、直線状である中央部１８の外周側に、略半円状の凸形状部２１を螺旋状に形成し、この凸形状部２１内部の頂部にコイルばね２２が一体的に内設されており可撓性を有している。
【００２９】
以上のように構成した洗濯機について、その動作、作用を説明する。
【００３０】
脱水工程において、洗濯兼脱水槽４内で洗濯物が片寄っている状態で脱水起動が始まると、水槽２が大きく振れることになるが、脱水起動時には、洗濯物は洗濯兼脱水槽４内下部の撹拌翼５上に位置しているために、水槽２を含めた振動系の上下方向の重心は低位置にあり、振動系は水槽２の下部近傍が大きく振れることになる。
【００３１】
水槽２の下部近傍が大きく振れた時、水槽２下部の排水弁１３と台枠１１の排水パイプ
１２とを接続する機内ホース２０に振れが伝わり、機内ホース２０に伝わった振れの衝撃は、機内ホース２０の中央部１８の外周側に形成された螺旋状の凸形状部２１と、この凸形状部２１の頂部に内装されたコイルばね２２で受けることになる。
【００３２】
コイルばね２２で受けた衝撃の反発は、コイルばね２２の外周を包むゴムや軟質樹脂材料の粘性にて緩衝されてダンパー効果をもたらし、水槽２を含めた振動系の横振れを低減させることができる。振動系の横振れが低減されるために、外箱１の内部に取付ける緩衝部材１６は、数も少なく、厚さも薄くすることができる。
【００３３】
また、脱水起動時の振動系の振れを低減することにより、洗濯物が片寄った場合でも、スムーズな脱水立ち上げができる。
【００３４】
以上のように、水槽下部の排水弁と台枠の排水パイプとを接続する機内ホースは、直線状である中央部の外周側に、略半円状の凸形状部を螺旋状に形成し、この凸形状部内部の頂部にコイルばねを一体的に内設する構成としたことにより、脱水起動時の水槽を含めた振動系の振れを低減し、スムーズな脱水立ち上りを行なうことができるので、製品の信頼性を高めるとともに、製造コストの低減と省エネを実現することができる。
【産業上の利用可能性】
【００３５】
以上のように、本発明にかかる洗濯機は、機内ホースの構成により、脱水起動時の振れを低減することが可能となるため、外箱内部に防振支持された水槽が揺動する他の洗濯機等用途に適用できる。
【符号の説明】
【００３６】
１  外箱
２  水槽
４  洗濯兼脱水槽
１１  台枠
１２  排水パイプ
１３  排水弁
１５  排水ホース
２０  機内ホース
２１  凸形状部
２２  コイルばね
【図１】
2014054275.tif 000003
【図２】
2014054275.tif 000004
【図３】
2014054275.tif 000005
【図４】
2014054275.tif 000006